(57)【要約】【課題】省電力化を実現した記憶媒体ホルダを提供する。【解決手段】記憶媒体ホルダ１０は、記憶媒体３０が装着可能なホルダ本体１００と、ホルダ本体１００に装着された記憶媒体３０との間で通信を行う第１通信部１１と、外部機器２０との間で通信を行う第２通信部１２と、電池から出力された電力を第１通信部１１及び第２通信部１２に供給する電源部１４とを備える記憶媒体ホルダ１０であって、電源部１４は、前記電池から出力された電力を第１通信部１１及び第２通信部１２に供給する電源ラインに前記電池の電圧低下を補間するためのコンデンサを備える。【選択図】図１
2017184308.tif 000002
【特許請求の範囲】
【請求項１】
記憶媒体が装着可能なホルダ本体と、
前記ホルダ本体に装着された前記記憶媒体との間で通信を行う第１通信部と、
外部機器との間で通信を行う第２通信部と、
電池から出力された電力を前記第１通信部及び前記第２通信部に供給する電源部と、を備える記憶媒体ホルダであって、
前記電源部は、前記電池から出力された電力を前記第１通信部及び前記第２通信部に供給する電源ラインに前記電池の電圧低下を補間するためのコンデンサを備えること、
を特徴とする記憶媒体ホルダ。
【請求項２】
請求項１に記載の記憶媒体ホルダであって、
前記電源ラインと前記コンデンサとの間を、導通又は非導通のいずれかに切り替えるスイッチと、
前記第１通信部と前記記憶媒体との間又は前記第２通信部と前記外部機器との間で通信を開始する場合、前記電源ラインと前記コンデンサとの間が導通するように前記スイッチを切り替え、前記第１通信部と前記記憶媒体との間又は前記第２通信部と前記外部機器との間の通信を終了する場合、前記電源ラインと前記コンデンサとの間が非導通となるように前記スイッチを切り替える制御部と、
を備えることを特徴とする記憶媒体ホルダ。
【請求項３】
請求項１に記載の記憶媒体ホルダであって、
前記電池の電圧を検出する電圧検出部と、
前記電源ラインと前記コンデンサとの間を、導通又は非導通のいずれかに切り替えるスイッチと、
前記電圧検出部で検出された前記電池の電圧が予め設定された電圧値未満の場合、前記電源ラインと前記コンデンサとの間が導通するように前記スイッチを切り替え、前記電圧検出部で検出された前記電池の電圧が予め設定された電圧値以上の場合、前記電源ラインと前記コンデンサとの間が非導通となるように前記スイッチを切り替える制御部と、
を備えることを特徴とする記憶媒体ホルダ。
【発明の詳細な説明】
【技術分野】
【０００１】
本発明は、記憶媒体を保持可能な記憶媒体ホルダに関する。
【背景技術】
【０００２】
従来、特定の近距離通信システムに対応した記憶媒体と、通信規格の異なる他の近距離通信システムに対応したノート型パソコンとの間でデータの送受信を可能とした携帯型の通信端末が提案されている（特許文献１参照）。
【０００３】
上述した携帯型の通信端末の代わりに、記憶媒体を装着可能なホルダ（以下、「記憶媒体ホルダ」ともいう）に、記憶媒体からデータを読み取るリーダライタ等を内蔵して、通信規格の異なる近距離通信システム間でデータの送受信を行うことも考えられている。このような記憶媒体ホルダによれば、例えば、装着された記憶媒体（例えば、ＩＣカード）に記憶されたデータを、ＮＦＣ（Ｎｅａｒ  Ｆｉｅｌｄ  Ｃｏｍｍｕｎｉｃａｔｉｏｎ）に対応したリーダライタにより読み出し、このデータを通信規格の異なるブルートゥース（登録商標）に対応した通信システムにより外部機器に送信することができる。
【先行技術文献】
【特許文献】
【０００４】
【特許文献１】特開２０１５−０２３４５０号公報
【発明の概要】
【発明が解決しようとする課題】
【０００５】
上述した記憶媒体ホルダでは、記憶媒体からデータを読み出すリーダライタのほか、外部機器との間でデータを送受信する回路等において多くの電力が消費される。また、この種の記憶媒体ホルダには、小型化及び軽量化のため、小さなボタン型電池が使用されている。このような小さなボタン型電池は、電池容量が低下しやすいため、省電力化が求められている。
【０００６】
本発明の目的は、省電力化を実現した記憶媒体ホルダを提供することにある。
【課題を解決するための手段】
【０００７】
本発明は、以下のような解決手段により課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００８】
・第１の発明は、記憶媒体（３０）が装着可能なホルダ本体（１００）と、前記ホルダ本体に装着された前記記憶媒体との間で通信を行う第１通信部（１１）と、外部機器（２０）との間で通信を行う第２通信部（１２）と、電池（１４１）から出力された電力を前記第１通信部及び前記第２通信部に供給する電源部（１４）とを備える記憶媒体ホルダ（１０）であって、前記電源部は、前記電池から出力された電力を前記第１通信部及び前記第２通信部に供給する電源ライン（Ｌ１）に前記電池の電圧低下を補間するためのコンデンサ（１４３）を備える。
【０００９】
・第２の発明は、第１の発明の記憶媒体ホルダ（１０）であって、前記電源ライン（Ｌ１）と前記コンデンサ（１４３）との間を、導通又は非導通のいずれかに切り替えるスイッチ（１４４）と、前記第１通信部（１１）と前記記憶媒体（３０）との間又は前記第２通信部（１２）と前記外部機器（２０）との間で通信を開始する場合、前記電源ラインと前記コンデンサとの間が導通するように前記スイッチを切り替え、前記第１通信部と前記記憶媒体との間又は前記第２通信部と前記外部機器との間の通信を終了する場合、前記電源ラインと前記コンデンサとの間が非導通となるように前記スイッチを切り替える制御部（１６）とを備えることを特徴とする。
【００１０】
・第３の発明は、第１の発明の記憶媒体ホルダ（１０）であって、前記電池（１４１）の電圧を検出する電圧検出部（１６）と、前記電源ライン（Ｌ１）と前記コンデンサ（１４３）との間を、導通又は非導通のいずれかに切り替えるスイッチ（１４４）と、前記電圧検出部で検出された前記電池の電圧が予め設定された電圧値未満の場合、前記電源ラインと前記コンデンサとの間が導通するように前記スイッチを切り替え、前記電圧検出部で検出された前記電池の電圧が予め設定された電圧値以上の場合、前記電源ラインと前記コンデンサとの間が非導通となるように前記スイッチを切り替える制御部（１６）とを備えることを特徴とする。
【発明の効果】
【００１１】
本発明によれば、省電力化を実現した記憶媒体ホルダを提供することができる。
【図面の簡単な説明】
【００１２】
【図１】第１実施形態における入室管理システム１の全体構成を示すブロック図である。
【図２】ＩＣカード３０が挿入されたカードホルダ１０の外観図である。
【図３】ＩＣカード３０とカードホルダ１０とを示す斜視図である。
【図４】電源部１４の回路構成を示す説明図である。
【図５】電池１４１の端子電圧と降圧コンバータ１４２の出力電圧との関係を示すグラフである。
【図６】入室管理システム１Ａの全体構成図である。
【図７】入室管理システム１Ｂの全体構成図である。
【図８】カードホルダ１０の端末側制御部１６により実行されるＩＤ情報更新処理（１）の手順を示すフローチャートである。
【図９】カードホルダ１０の端末側制御部１６により実行されるＩＤ情報更新処理（２）の手順を示すフローチャートである。
【図１０】カードホルダ１０の端末側制御部１６により実行されるＩＤ情報送信処理の手順を示すフローチャートである。
【図１１】カードホルダ１０の端末側制御部１６により実行される内部スイッチ切り替え処理（１）の手順を示すフローチャートである。
【図１２】カードホルダ１０の端末側制御部１６により実行される内部スイッチ切り替え処理（２）の手順を示すフローチャートである。
【図１３】第２実施形態のカードホルダ１０Ｃの端末側制御部１６Ｃにより実行される内部スイッチ切り替え処理の手順を示すフローチャートである。
【発明を実施するための形態】
【００１３】
以下、本発明に係る記憶媒体ホルダの実施形態について説明する。ここでは、本発明に係る記憶媒体ホルダの実施形態として、ＩＣカード（記憶媒体）を保持可能なカードホルダ及びこのカードホルダを用いた入室管理システムについて説明する。
［第１実施形態］
図１は、第１実施形態における入室管理システム１の全体構成を示すブロック図である。図２は、ＩＣカード３０が挿入されたカードホルダ１０の外観図である。図３は、ＩＣカード３０とカードホルダ１０とを示す斜視図である。図４は、電源部１４（カードホルダ１０）の回路構成を示す説明図である。
【００１４】
図１に示すように、入室管理システム１は、カードホルダ１０と、認証装置（外部機器）２０と、から構成される。
まず、カードホルダ１０の構成について説明する。
カードホルダ１０は、入室管理システム１の利用者が保持する携帯端末である。カードホルダ１０は、図２に示すように、箱枠形状の筐体（ホルダ本体）１００を備えており、内部に後述するリーダライタ１１等の電子部品が配置されている。また、筐体１００は、ＩＣカード３０（後述）を保持可能なカード保持面１０１を有する。
【００１５】
筐体１００において、カード保持面１０１の外周域には、挿入されたＩＣカード３０の側面を保持する複数の保持片１０３が設けられている。カードホルダ１０の利用者は、図３に示すように、ＩＣカード３０を筐体１００の一端側からカード保持面１０１に沿って矢印方向に挿入することにより、ＩＣカード３０をカードホルダ１０に保持させることができる。なお、筐体１００のカード保持面１０１には、スイッチ１５（後述）の可動片１５ａが突出している。この可動片１５ａは、ＩＣカード３０をカードホルダ１０に挿入すると、ＩＣカード３０により押圧され、カード保持面１０１の内側に埋没する。
【００１６】
ＩＣカード３０は、ループアンテナ、ＩＣチップ等（いずれも不図示）が内蔵されたＩＣタグである。本実施形態において、ループアンテナは、ＮＦＣ規格帯の電磁波により情報を送受信可能なアンテナである。ＩＣチップは、ループアンテナを介して、筐体１００に内蔵されたリーダライタ１１（後述）との間で情報の送受信を行う。ＩＣチップは、ＣＰＵ、メモリ等（いずれも不図示）により構成される。ＩＣチップのメモリには、ＩＣカード３０の利用者を識別するためのＩＤ情報（認証情報）が記憶されている。
【００１７】
ＩＣカード３０とリーダライタ１１との間の通信は、例えば、ＮＦＣ規格（ＩＳＯ／ＩＥＣ１８０２（ＮＦＣ  ＩＰ−１）、ＩＳＯ／ＩＥＣ１４８１（ＮＦＣ  ＩＰ−２））に基づいて、１３．５６ＭＨｚの電磁波を利用して行われる。ＩＣカード３０とリーダライタ１１との間の通信は、数ｍｍから数十ｍｍ程度の距離で可能となる。ＩＣカード３０がカードホルダ１０に保持されると、ＩＣカード３０とリーダライタ１１との距離は、数ｍｍ程度となる。
【００１８】
カードホルダ１０は、図１に示すように、リーダライタ１１（第１通信部）と、端末側通信部１２（第２通信部）と、記憶部１３と、電源部１４と、スイッチ１５と、端末側制御部１６と、を備える。
リーダライタ１１は、ＩＣカード３０との間で非接触により情報を送受信可能なＮＦＣ規格に対応したリーダライタである。ＩＣカード３０がカードホルダ１０に保持されると、ＩＣカード３０とリーダライタ１１との間で電磁波による情報の送受信が行われ、ＩＣカード３０のメモリに記憶されたＩＤ情報がリーダライタ１１で読み取られる。リーダライタ１１で読み取られたＩＤ情報は、記憶部１３（後述）に記憶される。
【００１９】
端末側通信部１２は、認証装置２０との間で近距離無線通信により情報を送受信する。本実施形態において、端末側通信部１２は、ブルートゥース規格に対応した通信システムとして構成されている。端末側通信部１２と認証装置２０との間の通信は、２．４ＧＨｚ帯の電波を利用して行われ、例えば、数ｍから数十ｍ程度の距離で可能となる。この距離において、端末側通信部１２は、認証装置２０との間でＩＤ情報を含む情報の通信を行うことができる。端末側通信部１２は、不図示の通信Ｉ／Ｆ（インターフェース）、通信制御ドライバ等により構成される。このうち、通信Ｉ／Ｆは、認証装置２０から送信される通信開始信号を検知する機能を有する。
【００２０】
記憶部１３は、リーダライタ１１を介してＩＣカード３０から読み取ったＩＤ情報、端末側制御部１６で実行される各種のアプリケーションソフト等を記憶する。記憶部１３には、アプリケーションソフトとして、例えば、携帯端末用プログラムが記憶される。
携帯端末用プログラムは、コンピュータとしての端末側制御部１６を、認証装置２０との間でＩＤ情報の送信を含む通信を行う場合、ＩＣカード３０に記憶されたＩＤ情報と同じＩＤ情報（記憶部１３に記憶されたＩＤ情報）を、端末側通信部１２を介して認証装置２０に送信させ、認証装置２０との間でＩＤ情報の送信を含む通信が終了した場合、スリープ状態へ移行すると共に、スリープ状態の間に、端末側通信部１２において通信開始信号を受信した場合、スリープ状態から復帰して、端末側通信部１２を介して認証装置２０との間でＩＤ情報の送信を含む通信を開始させる制御手段として機能させるためのプログラムである。
【００２１】
電源部１４は、端末側制御部１６を介して、リーダライタ１１、端末側通信部１２、記憶部１３等に電力を供給する。電源部１４は、図４に示すように、電池１４１、降圧コンバータ１４２、コンデンサ１４３、内部スイッチ１４４及び出力端子１４５を備える。
電池１４１は、カードホルダ１０の駆動用電源であり、例えば、交換可能なボタン型電池が用いられる。本実施形態において、電池１４１は、６．２Ｖを定格電圧とする酸化銀電池である。なお、電池１４１は、カードホルダ１０に装着可能であって且つ必要な電圧を出力することができれば、どのような種類の電池であってもよい。
【００２２】
降圧コンバータ１４２は、電池１４１から出力された電圧を降圧して出力する電子部品である。本実施形態において、降圧コンバータ１４２は、電池１４１から出力された６．２Ｖの電圧を２．６Ｖに降圧して出力する定電圧源として機能する。
コンデンサ１４３は、電池１４１の電圧低下を補間するための電子部品である。本実施形態において、コンデンサ１４３は、電気二重層コンデンサである。コンデンサ１４３は、降圧コンバータ１４２の後段であって、電源ラインＬ１及びＧＮＤラインＬ２の間に並列に接続されている。コンデンサ１４３の作用については後述する。
【００２３】
内部スイッチ１４４は、降圧コンバータ１４２と電源ラインＬ１との間を、導通又は非導通のいずれかに切り替える電子部品である。本実施形態において、内部スイッチ１４４は、トランジスタ、抵抗素子等（不図示）により構成される。図示していないが、内部スイッチ１４４を構成するトランジスタのベース端子は、端末側制御部１６と信号線により接続されている。
【００２４】
この信号線を介して、端末側制御部１６からトランジスタ（ベース端子）に閾値電圧以上の電圧が印加されると、内部スイッチ１４４は導通状態となり、コンデンサ１４３と電源ラインＬ１とが電気的に接続される。これにより、コンデンサ１４３に蓄積されていた電荷が電源ラインＬ１に放電可能な状態となる。また、端末側制御部１６からトランジスタへの電圧の印加が停止すると、内部スイッチ１４４は非導通状態となり、コンデンサ１４３と電源ラインＬ１との電気的な接続が遮断される。後述するように、端末側制御部１６は、ＩＤ情報更新処理及びＩＤ情報送信処理を実行する場合に、内部スイッチ１４４を導通状態とする。また、端末側制御部１６は、上記処理が終了した場合に、内部スイッチ１４４を非導通状態とする。
【００２５】
出力端子１４５は、端末側制御部１６の電源端子（不図示）と接続される電子部品であり、電源ラインＬ１及びＧＮＤラインＬ２と接続されている。
なお、コンデンサ１４３の後段において、電源ラインＬ１に保護回路（不図示）を接続してもよい。保護回路は、短絡等により発生する過電流から電源部１４を保護するための回路であり、例えば、ヒューズにより構成される。
【００２６】
再び、図１〜図３を参照しながらカードホルダ１０の他の構成について説明する。
スイッチ１５は、カードホルダ１０にＩＣカード３０が挿入されたことを検知する電子部品である。本実施形態において、スイッチ１５は、プッシュスイッチにより構成される。スイッチ１５は、可動片１５ａを備える。可動片１５ａは、筐体１００の厚さ方向に移動自在に支持され、スイッチ１５の電極接点（不図示）と連動している。
【００２７】
可動片１５ａは、図３に示すように、筐体１００にＩＣカード３０が挿入されていない状態では、バネ（不図示）の付勢力により、カード保持面１０１から突出する。この状態で、可動片１５ａと連動する電極接点は、非導通状態となる。一方、可動片１５ａは、図２に示すように、筐体１００にＩＣカード３０が挿入された状態では、ＩＣカード３０により押圧されるため、バネの付勢力に抗してカード保持面１０１に埋没する。この状態で、可動片１５ａと連動する電極接点は、導通状態となる。なお、可動片１５ａがカード保持面１０１から突出する状態で、可動片１５ａと連動する電極接点が導通状態となり、可動片１５ａがカード保持面１０１に埋没する状態で、可動片１５ａと連動する電極接点が非導通状態となる構成でもよい。
【００２８】
スイッチ１５は、非導通状態又は導通状態に対応した検知信号を、端末側制御部１６へ出力する。例えば、スイッチ１５が非導通状態の場合、端末側制御部１６へ出力される検知信号はＨ（Ｈｉｇｈ）レベルとなる。また、スイッチ１５が導通状態の場合、端末側制御部１６へ出力される検知信号はＬ（Ｌｏｗ）レベルとなる。
【００２９】
端末側制御部１６は、各ハードウェアと協働して、カードホルダ１０の動作を統括的に制御する。端末側制御部１６は、ＣＰＵ、メモリ等により構成される。
また、端末側制御部１６には、時間の計測を管理するタイマユニット（不図示）が組み込まれている。タイマユニットは、予め設定された時間（以下、「規定時間」という）を計測する。タイマユニットは、後述するＩＤ情報更新処理（１）において、時間の計測が規定時間に達したときに、端末側制御部１６に対してタイマ割り込みを発生させる。タイマ割り込みの発生は、端末側制御部１６により、時間の計測が停止されるまでの間、繰り返し実行される。
【００３０】
端末側制御部１６は、記憶部１３に記憶された携帯端末用プログラム等のアプリケーションプログラムに基づいて、後述するＩＤ情報更新処理、ＩＤ情報送信処理、内部スイッチ切り替え処理等を実行する。端末側制御部１６において実行されるＩＤ情報更新処理、ＩＤ情報送信処理及び内部スイッチ切り替え処理の概要は、以下の通りである。
【００３１】
（ＩＤ情報更新処理）
端末側制御部１６は、カードホルダ１０にＩＣカード３０が挿入されると、リーダライタ１１を介してＩＣカード３０からＩＤ情報の読み出しを実行し、読み出したＩＤ情報を記憶部１３に記憶させる。その後、端末側制御部１６は、スリープ状態へ移行する。また、端末側制御部１６は、カードホルダ１０からＩＣカード３０が抜き取られると、スリープ状態から復帰して、記憶部１３に記憶されているＩＤ情報を削除させる。
なお、リーダライタ１１において、ＩＣカード３０からＩＤ情報を読み出す必要が生じるのは、上述したＩＣカード３０の挿入又は抜き取りが検知された場合のほか、後述するタイマ１７によるタイマ割り込みが発生した場合である。
【００３２】
また、スリープ状態とは、電源部１４からカードホルダ１０を構成する各部への電力の供給が実質的に停止した状態をいう。ただし、スリープ状態においても、端末側制御部１６は、スイッチ１５から送信される検知信号の受信及びタイマユニットによるタイマ割り込みの検知を行うことができる。また、スリープ状態においても、端末側通信部１２は、認証装置２０から送信された通信開始信号を受信することができる。
【００３３】
（ＩＤ情報送信処理）
端末側制御部１６は、端末側通信部１２において、認証装置２０から送信された通信開始信号を受信した場合、スリープ状態から復帰し、端末側通信部１２を介して認証装置２０との間でＩＤ情報の送信を含む通信を開始させる。本実施形態において、端末側制御部１６は、認証装置２０との間でＩＤ情報の送信を含む通信を行う場合に、記憶部１３から読み出したＩＤ情報を、端末側通信部１２を介して認証装置２０に送信させる。
端末側制御部１６は、認証装置２０との間で通信が終了した場合、スリープ状態へ移行し、端末側通信部１２において通信開始信号を受信するまで、スリープ状態を維持する。
【００３４】
（内部スイッチ切り替え処理）
端末側制御部１６は、上述したＩＤ情報更新処理において、ＩＣカード３０からＩＤ情報を読み出す必要が生じた場合、電源部１４の内部スイッチ１４４を導通状態とする。そして、端末側制御部１６は、ＩＣカード３０からＩＤ情報の読み出しが終了すると、電源部１４の内部スイッチ１４４を非導通状態とする。
また、端末側制御部１６は、上述したＩＤ情報送信処理において、端末側通信部１２で通信開始信号を受信した場合、電源部１４の内部スイッチ１４４を導通状態とする。そして、端末側制御部１６は、認証装置２０との間でＩＤ情報の送信を含む通信が終了した場合、電源部１４の内部スイッチ１４４を非導通状態とする。
【００３５】
ここで、上述した内部スイッチ切り替え処理によるコンデンサ１４３の作用について説明する。図５は、電池１４１の端子電圧と降圧コンバータ１４２の出力電圧（電源ラインＬ１の電圧）との関係を示すグラフである。図５において、横軸は経過時間（ｍｓ）を示し、縦軸は電圧値（Ｖ）を示す。
【００３６】
図５（ａ）〜（ｃ）に示すグラフは、降圧コンバータ１４２の後段で負荷変動を発生させた場合に、各電圧値に生じた変化を記録したものである。ここでは、負荷変動として、記録開始から２０〜１２０ｍｓまでの間に、ＩＤ情報更新処理（ＩＣカード３０からのＩＤ情報の読み出し）を行っている。この負荷変動により、降圧コンバータ１４２に接続する電源ラインＬ１では、負荷電流が増大する。
【００３７】
図５（ａ）は、電池１４１が初期状態のときにリーダライタ１１がＩＣカード３０からＩＤ情報の読み出しを行った場合のグラフである。図５（ａ）に示すように、電池１４１は、初期状態では電池容量が十分にあるため、負荷電流が増大しても、放電による電圧低下は少ない。そのため、降圧コンバータ１４２は、２．６Ｖ以上の電圧を安定して出力することができる。
【００３８】
図５（ｂ）は、電池１４１の電池容量が低下したときにリーダライタ１１がＩＣカード３０からＩＤ情報の読み出しを行った場合のグラフである。図５（ｂ）では、電源部１４の内部スイッチ１４４（図４参照）が非導通状態にある。図５（ｂ）に示すように、電池１４１の電池容量が低下した場合、負荷電流が増大すると、放電による電圧低下が大きくなる。その電圧低下によって、図５（ｂ）に示すように、電池１４１の端子電圧が降圧コンバータ１４２の出力電圧２．６Ｖを下回ると、降圧コンバータ１４２は、動作が不安定となり、出力電圧２．６Ｖを維持できなくなる。このような状況では、リーダライタ１１において、ＩＤ情報の読み出しが一時的にできなくなることが考えられる。
【００３９】
図５（ｃ）は、電池１４１の電池容量が低下したときにリーダライタ１１がＩＣカード３０からＩＤ情報の読み出しを行った場合のグラフである。図５（ｃ）では、電源部１４の内部スイッチ１４４が導通状態にある。図５（ｃ）に示すように、電池１４１の電池容量が低下して、負荷電流が増大すると、放電による電圧低下が大きくなる。しかし、電源部１４の内部スイッチ１４４が導通状態にある場合、電池１４１の端子電圧が降圧コンバータ１４２の出力電圧２．６Ｖ近くまで低下すると、コンデンサ１４３に蓄積された電荷が電源ラインＬ１に放電されるため、電源ラインＬ１において、降圧コンバータ１４２の出力電圧２．６Ｖを維持することができる。そして、リーダライタ１１によるＩＤ情報の読み出しが終了し、負荷電流が減少すると、電池１４１は、放電による電圧低下が少なくなるため、端子電圧が降圧コンバータ１４２の出力電圧２．６Ｖ以上となる。これにより、コンデンサ１４３から電源ラインＬ１への放電が停止する。
【００４０】
以上のように、本実施形態の電源部１４においては、電池１４１の電池容量が低下した状態でＩＤ情報更新処理が実行され、放電による電圧低下が大きくなっても、コンデンサ１４３から補助的な放電が行われるため、電源ラインＬ１において、降圧コンバータ１４２の出力電圧２．６Ｖを維持することができる。したがって、本実施形態のカードホルダ１０は、電池１４１の電池容量が低下した場合のＩＤ情報更新処理において、リーダライタ１１によるＩＣカード３０からのＩＤ情報の読み出しを、より確実に行うことができる。また、本実施形態のカードホルダ１０は、電池１４１の電池容量が低下した状態でＩＤ情報送信処理が実行された場合においても、コンデンサ１４３から補助的な放電が行われるため、端末側通信部１２と認証装置２０との間でＩＤ情報を含む情報の通信を、より確実に行うことができる。
【００４１】
次に、認証装置２０について説明する。
認証装置２０は、カードホルダ１０から取得したＩＤ情報に基づいて、ドアＤの開錠、施錠を制御する。認証装置２０は、図１に示すように、認証側通信部２１と、記憶部２２と、認証側制御部２３と、ドア施錠管理部２４と、を備える。
【００４２】
認証側通信部２１は、利用者の保持するカードホルダ１０（端末側通信部１２）との間で非接触により情報を送受信する。本実施形態において、認証側通信部２１は、ブルートゥース規格に対応した通信システムとして構成されている。後述するように、カードホルダ１０を保持した利用者が入室しようとするドアの前に近づくと、認証側通信部２１のアンテナ（不図示）を介して、認証側通信部２１とカードホルダ１０（端末側通信部１２）との間で近距離無線通信による情報の送受信が開始される。
記憶部２２は、ＩＤ情報を認証する際に参照するＩＤ情報テーブルのほか、認証側制御部２３で実行されるオペレーティングシステム（ＯＳ）、アプリケーションプログラム、各種データ等を記憶する。
【００４３】
認証側制御部２３は、各ハードウェアと協働して、認証装置２０の動作を統括的に制御する。認証側制御部２３は、ＣＰＵ、メモリ等（いずれも不図示）により構成される。認証側制御部２３は、記憶部２２に記憶されたオペレーティングシステム（ＯＳ）、アプリケーションプログラム等に基づいて、後述するＩＤ情報の認証に関する処理を実行する。
認証側制御部２３は、認証側通信部２１を介して、定期的に通信開始信号を送信させる。通信開始信号とは、携帯端末であるカードホルダ１０に対して、ＩＤ情報の送信を要求する信号である。
認証側制御部２３は、認証側通信部２１から受信したＩＤ情報の認証（正当性の検証）を行い、入室可と判定した場合には、ドアを開錠するための開錠信号をドア施錠管理部２４に送信する。
ドア施錠管理部２４は、ドアの開錠、施錠を管理する。ドア施錠管理部２４は、認証側制御部２３から開錠信号を受信すると、施錠されているドアの錠を解除する。
【００４４】
次に、入室管理システム１の具体例について説明する。
ここでは、カードホルダ１０の端末側通信部１２からＩＤ情報を取得する入室管理システム１Ａと、カードホルダ１０に保持されたＩＣカード３０からＩＤ情報を取得する入室管理システム１Ｂについて説明する。これらの入室管理システムは、室内へ入室しようとする者の入室の可否を管理するシステムである。なお、以下の説明において、カードホルダ１０は、筐体１００にＩＣカード３０が挿入された状態で使用されるものとする。
【００４５】
まず、カードホルダ１０の端末側通信部１２からＩＤ情報を取得する入室管理システム１Ａについて説明する。
図６は、入室管理システム１Ａの全体構成図である。
入室管理システム１Ａは、図６に示すように、利用者Ｐが保持するカードホルダ１０と、認証装置２０Ａと、から構成される。本実施形態における認証装置２０Ａの構成は、図１に示す認証装置２０と同じである。
【００４６】
図６に示すように、カードホルダ１０を保持した利用者ＰがドアＤに近づくと、認証装置２０Ａの認証側通信部２１から発せられた通信開始信号が、近距離無線通信によりカードホルダ１０へ送信される。これにより、ドアＤの近傍に設けられた認証側通信部２１とカードホルダ１０（端末側通信部１２）との間で、ＩＤ情報の送信を含む通信が開始される。なお、図６では、認証装置２０Ａのうち、認証側通信部２１及び認証側制御部２３のみを図示する。
【００４７】
認証側制御部２３は、カードホルダ１０から受信したＩＤ情報と、記憶部２２に記憶されているＩＤ情報テーブルとを参照して、受信したＩＤ情報の認証を行う。認証側制御部２３は、受信したＩＤ情報がＩＤ情報テーブルに登録されている場合には、入室可と判定する。一方、認証側制御部２３は、受信したＩＤ情報がＩＤ情報テーブルに登録されていない場合には、入室不可と判定する。
【００４８】
認証側制御部２３は、受信したＩＤ情報について、入室可と判定した場合には、ドアＤを開錠するための開錠信号をドア施錠管理部２４に送信する。ドア施錠管理部２４は、認証側制御部２３から開錠信号を受信すると、施錠されているドアＤの錠を解除する。これにより、利用者Ｐは、開錠されたドアＤを開けて、室内に入ることができる。また、ドア施錠管理部２４は、認証側制御部２３から開錠信号を受信しない場合には、ドアＤの錠を解除することなく、施錠された状態を維持する。この場合、認証側制御部２３は、利用者Ｐに対して、例えば、ブザー等の警告音により報知する。
【００４９】
次に、カードホルダ１０に保持されたＩＣカード３０からＩＤ情報を取得する入室管理システム１Ｂについて説明する。入室管理システム１Ｂは、カードホルダ１０と認証側通信部２１との間の通信が、電磁波による非接触の近距離無線通信である点において、入室管理システム１Ａと異なる。
【００５０】
図７は、入室管理システム１Ｂの全体構成図である。
入室管理システム１Ｂは、図７に示すように、利用者Ｐが保持するカードホルダ１０と、認証装置２０Ｂと、から構成される。
入室管理システム１Ｂにおいて、認証装置２０Ｂの基本的な構成は、図１に示す認証装置２０と同じである。入室管理システム１Ｂでは、認証側通信部２１Ｂが、電磁波により情報の送受信を行うリーダライタである点において、図１に示す認証装置２０の認証側通信部２１と異なる。
【００５１】
本実施形態の入室管理システム１Ｂにおいて、認証側通信部２１Ｂは、利用者Ｐの保持するカードホルダ１０のＩＣカード３０との間で電磁波により情報の送受信を行うリーダライタである。認証側通信部２１Ｂで受信したＩＤ情報は、認証側制御部２３へ送信される。認証側制御部２３及びドア施錠管理部２４におけるドアＤの開錠、施錠の管理については説明を省略する。なお、図７では、認証装置２０Ｂのうち、認証側通信部２１Ｂ及び認証側制御部２３のみを図示する。
【００５２】
図７に示すように、利用者Ｐが、カードホルダ１０をドアＤの前に配置された認証側通信部２１Ｂにかざすと、カードホルダ１０に挿入されたＩＣカード３０と認証側通信部２１Ｂとの間で電磁波による情報の送受信が行われ、ＩＣカード３０のＩＣチップ（メモリ）に記憶されたＩＤ情報が認証側通信部２１Ｂに読み取られる。以後の処理は、入室管理システム１Ａと同じであるため、説明を省略する。
以上のように、ＩＣカード３０が挿入されたカードホルダ１０は、端末側通信部１２から送信されたＩＤ情報に基づいて認証を行う入室管理システム１Ａ及びＩＣカード３０から送信されたＩＤ情報に基づいて認証を行う入室管理システム１Ｂの両方に使用することができる。
【００５３】
次に、カードホルダ１０の端末側制御部１６により実行されるＩＤ情報更新処理（１）について説明する。
図８は、カードホルダ１０の端末側制御部１６により実行されるＩＤ情報更新処理（１）の手順を示すフローチャートである。
ＩＤ情報更新処理（１）は、カードホルダ１０の端末側制御部１６において、検知信号（スイッチ１５）の立ち上がりエッジ又は立ち下がりエッジが検出される度、即ち、カードホルダ１０において、ＩＣカード３０の挿入又は抜き取りが行われる度に実行される。
【００５４】
図８に示すステップＳ（以下「Ｓ」という）１０１において、端末側制御部１６は、カードホルダ１０にＩＣカード３０が挿入されたか否かを判定する。具体的には、端末側制御部１６は、スイッチ１５から出力される検知信号がＬレベル（導通状態）か否かを判定する。Ｓ１０１の判定がＹＥＳであれば、処理はＳ１０２へ移行する。また、Ｓ１０１の判定がＮＯであれば、処理はＳ１０７へ移行する。
【００５５】
Ｓ１０２（Ｓ１０１：ＹＥＳ）において、端末側制御部１６は、リーダライタ１１を介してＩＣカード３０からＩＤ情報の読み出しを実行する。
Ｓ１０３において、端末側制御部１６は、ＩＣカード３０からＩＤ情報の読み出しに成功したか否かを判定する。Ｓ１０３の判定がＹＥＳであれば、処理はＳ１０４へ移行する。また、Ｓ１０３の判定がＮＯであれば、処理はＳ１０６へ移行する。
【００５６】
Ｓ１０４（Ｓ１０３：ＹＥＳ）において、端末側制御部１６は、ＩＣカード３０から読み出したＩＤ情報を、記憶部１３に記憶させる。
Ｓ１０５において、端末側制御部１６は、タイマユニット（不図示）を起動して、時間の計測を開始させる。
Ｓ１０６において、端末側制御部１６は、電源部１４を制御してスリープ状態へ移行し、本フローチャートの処理を終了する。
【００５７】
Ｓ１０７（Ｓ１０１：ＮＯ）において、端末側制御部１６は、カードホルダ１０からＩＣカード３０が抜き取られたか否かを判定する。具体的には、端末側制御部１６は、スイッチ１５から出力される検知信号がＨレベル（非導通状態）か否かを判定する。Ｓ１０７の判定がＹＥＳであれば、処理はＳ１０８へ移行する。また、Ｓ１０７の判定がＮＯであれば、処理はＳ１０１へ戻る。
【００５８】
Ｓ１０８（Ｓ１０７：ＹＥＳ）において、端末側制御部１６は、スリープ状態から復帰する。
Ｓ１０９において、端末側制御部１６は、記憶部１３に記憶されているＩＤ情報を削除する。
Ｓ１１０において、端末側制御部１６は、タイマユニットを制御して、時間の計測を停止させる。端末側制御部１６は、Ｓ１１０の処理を実行した後、本フローチャートの処理を終了する。
【００５９】
図８に示すＩＤ情報更新処理（１）によれば、カードホルダ１０へＩＣカード３０が挿入されると、ＩＣカード３０から読み出されたＩＤ情報が記憶部１３に記憶されると共に、タイマユニットにおいて時間の計測が開始される。また、カードホルダ１０からＩＣカード３０が抜き取られると、記憶部１３に記憶されているＩＤ情報が削除されると共に、タイマユニットにおいて時間の計測が停止される。
【００６０】
次に、カードホルダ１０の端末側制御部１６により実行されるＩＤ情報更新処理（２）について説明する。
図９は、カードホルダ１０の端末側制御部１６により実行されるＩＤ情報更新処理（２）の手順を示すフローチャートである。
ＩＤ情報更新処理（２）は、カードホルダ１０において、タイマ割り込みが発生したときに実行される処理である。即ち、図７のＳ１０５において、タイマユニットによる時間の計測が開始された後、その計測が規定時間に達したときに実行される。なお、タイマユニットによる時間の計測が規定時間に達する前に、例えば、カードホルダ１０からＩＣカード３０が抜き取られた場合、タイマ割り込みは発生しない。
【００６１】
図９に示すＳ２０１において、端末側制御部１６は、タイマ割り込みが発生したか否かを判定する。Ｓ２０１の判定がＹＥＳであれば、処理はＳ２０２へ移行する。また、Ｓ２０１の判定がＮＯであれば、処理はＳ２０１へ戻る。
Ｓ２０２（Ｓ２０１：ＹＥＳ）において、端末側制御部１６は、スリープ状態から復帰する。
Ｓ２０３において、端末側制御部１６は、リーダライタ１１を介してＩＣカード３０からＩＤ情報の読み出しを実行する。
【００６２】
Ｓ２０４において、端末側制御部１６は、ＩＣカード３０からＩＤ情報の読み出しに成功したか否かを判定する。Ｓ２０４の判定がＹＥＳであれば、処理はＳ２０５へ移行する。また、Ｓ２０４の判定がＮＯであれば、処理はＳ２０７へ移行する。
Ｓ２０５（Ｓ２０４：ＹＥＳ）において、端末側制御部１６は、ＩＣカード３０から読み出したＩＤ情報と、記憶部１３に記憶されているＩＤ情報とが一致するか否かを判定する。Ｓ２０５の判定がＹＥＳであれば、処理はＳ２０６へ移行する。また、Ｓ２０５の判定がＮＯであれば、処理はＳ２０８へ移行する。
Ｓ２０６（Ｓ２０５：ＹＥＳ）において、端末側制御部１６は、電源部１４を制御してスリープ状態へ移行し、本フローチャートの処理を終了する。
【００６３】
Ｓ２０７（Ｓ２０４：ＮＯ）において、端末側制御部１６は、記憶部１３に記憶されているＩＤ情報を削除する。端末側制御部１６は、Ｓ２０７の処理を実行した後、本フローチャートの処理を終了する。
Ｓ２０８（Ｓ２０５：ＮＯ）において、端末側制御部１６は、記憶部１３に記憶されているＩＤ情報を、ＩＣカード３０から読み出したＩＤ情報で上書きする。Ｓ２０８の後、処理はＳ２０６（前述）へ移行する。
【００６４】
図９に示すＩＤ情報更新処理（２）によれば、カードホルダ１０において、タイマ割り込みが発生した場合、ＩＣカード３０からＩＤ情報の読み出しが実行され、記憶部１３に記憶されているＩＤ情報が読み出せない場合には、記憶部１３に記憶されているＩＤ情報が更新（上書き、削除）される。
【００６５】
次に、カードホルダ１０の端末側制御部１６により実行されるＩＤ情報送信処理について説明する。
図１０は、カードホルダ１０の端末側制御部１６により実行されるＩＤ情報送信処理の手順を示すフローチャートである。図１０に示すＩＤ情報送信処理は、認証装置２０から通信開始信号を受信する度に実行される。
【００６６】
図１０に示すＳ３０１において、端末側制御部１６は、認証装置２０から送信された通信開始信号を受信したか否かを判定する。Ｓ３０１の判定がＹＥＳであれば、処理はＳ３０２へ移行する。また、Ｓ３０１の判定がＮＯであれば、処理はＳ３０１へ戻る。
【００６７】
Ｓ３０２（Ｓ３０１：ＹＥＳ）において、端末側制御部１６は、電源部１４を制御してスリープ状態から復帰する。
Ｓ３０３において、端末側制御部１６は、記憶部１３に記憶されているＩＤ情報を読み出す。
Ｓ３０４において、端末側制御部１６は、認証装置２０との間でＩＤ情報の送信を含む通信を開始する。この後、カードホルダ１０と認証装置２０との間でＩＤ情報の送信を含む各種メッセージ信号の送受信が行われる。
【００６８】
Ｓ３０５において、端末側制御部１６は、認証装置２０との間で通信が終了したか否かを判定する。Ｓ３０５の判定がＹＥＳであれば、処理はＳ３０６へ移行する。また、Ｓ３０５の判定がＮＯであれば、処理はＳ３０５へ戻る。
Ｓ３０６において、端末側制御部１６は、電源部１４を制御してスリープ状態へ移行し、本フローチャートの処理を終了する。
図１０に示すＩＤ情報送信処理によれば、認証装置２０から通信開始信号を受信する度に、リーダライタ１１を起動することなしに、記憶部１３から読み出されたＩＤ情報が認証装置２０へ送信される。
【００６９】
上述した第１実施形態のカードホルダ１０によれば、リーダライタ１１を介してＩＣカード３０から読み出されたＩＤ情報は、記憶部１３に一時的に記憶される。そして、カードホルダ１０において、認証装置２０へＩＤ情報を送信する必要が生じた場合、ＩＤ情報は、記憶部１３から読み出され、認証装置２０へ送信される。そのため、認証装置２０へＩＤ情報を送信する必要が生じる度に、ＩＤ情報をＩＣカードからリーダライタ１１を介して読み出す場合に比べて、ＩＤ情報をより速やかに認証装置２０へ送信することができるだけでなく、省電力化を実現することができる。
【００７０】
カードホルダ１０にＩＣカード３０が挿入された場合、端末側制御部１６は、リーダライタ１１を介してＩＣカード３０から読み出したＩＤ情報を記憶部１３に記憶する。そのため、利用者は、カードホルダ１０にＩＣカード３０を挿入するだけで、ＩＤ情報をカードホルダ１０に記憶させることができる。
【００７１】
カードホルダ１０からＩＣカード３０が抜き取られた場合、端末側制御部１６は、記憶部１３に記憶されているＩＤ情報を削除する。そのため、カードホルダ１０からＩＣカード３０が抜き取られた場合に、カードホルダ１０の内部にＩＤ情報が残らないため、セキュリティ性を高めることができる。
【００７２】
カードホルダ１０からＩＣカード３０が抜き取られた際に、スイッチ１５が正常に動作しないまま、他のＩＤ情報を有するＩＣカードが挿入されたとしても、タイマ割り込みが発生した時点で、ＩＣカードからＩＤ情報の読み出しが実行される。端末側制御部１６は、その時点において、ＩＣカードから読み出したＩＤ情報が記憶部１３に記憶されているＩＤ情報と異なる場合には、記憶部１３に記憶されているＩＤ情報を、読み出したＩＤ情報で上書きする。そのため、利用者は、新たなＩＤ情報を記憶させることなしに、カードホルダ１０を使用することができる。
【００７３】
また、カードホルダ１０からＩＣカード３０が抜き取られた際に、スイッチ１５が正常に動作しないまま、ＩＣカード３０が挿入されない状態が続いたとしも、タイマ割り込みが発生した時点で、ＩＣカード３０からＩＤ情報の読み出しが実行される。端末側制御部１６は、その時点において、ＩＣカード３０からＩＤ情報が読み出せなければ、記憶部１３に記憶されているＩＤ情報を削除する。そのため、カードホルダ１０のセキュリティ性をより向上させることができる。
【００７４】
カードホルダ１０にＩＣカード３０が挿入されると、端末側制御部１６は、タイマユニットにおいて時間の計測を開始させる。そのため、タイマユニットにおける時間の計測を、より正確なタイミングで開始させることができる。
カードホルダ１０からＩＣカード３０が抜き取られると、端末側制御部１６は、タイマユニットにおいて時間の計測を停止させる。そのため、タイマユニットの省電力化を実現することができる。
【００７５】
次に、カードホルダ１０の端末側制御部１６により実行される内部スイッチ切り替え処理について説明する。
図１１は、カードホルダ１０の端末側制御部１６により実行される内部スイッチ切り替え処理（１）の手順を示すフローチャートである。
内部スイッチ切り替え処理（１）は、端末側制御部１６において、ＩＣカード３０からＩＤ情報の読み出しが行われる度に実行される。ＩＣカード３０からのＩＤ情報の読み出しは、カードホルダ１０にＩＣカード３０が挿入された場合（図８のＳ１０２）、タイマ割り込みが発生した場合（図９のＳ２０３）において実行される。即ち、内部スイッチ切り替え処理（１）は、ＩＤ情報更新処理と連動して実行される。
【００７６】
図１１に示すＳ４０１において、端末側制御部１６は、リーダライタ１１を介してＩＣカード３０からＩＤ情報の読み出しを実行するか否かを判定する。Ｓ４０１の判定がＹＥＳであれば、処理はＳ４０２へ移行する。また、Ｓ４０１の判定がＮＯであれば、処理はＳ４０１へ戻る。
【００７７】
Ｓ４０２（Ｓ４０１：ＹＥＳ）において、端末側制御部１６は、内部スイッチ１４４に閾値電圧以上の電圧を印加して、内部スイッチ１４４を導通状態に切り替える。これにより、降圧コンバータ１４２と電源ラインＬ１との間が導通する。
Ｓ４０３において、端末側制御部１６は、リーダライタ１１によるＩＣカード３０からのＩＤ情報の読み出しが終了したか否かを判定する。Ｓ４０３の判定がＹＥＳであれば、処理はＳ４０４へ移行する。また、Ｓ４０３の判定がＮＯであれば、処理はＳ４０３へ戻る。
【００７８】
Ｓ４０４（Ｓ４０３：ＹＥＳ）において、端末側制御部１６は、内部スイッチ１４４への電圧の印加を停止して、内部スイッチ１４４を非導通状態に切り替える。これにより、降圧コンバータ１４２と電源ラインＬ１との間が非導通となる。Ｓ４０４の処理を実行した後、端末側制御部１６は、本フローチャートの処理を終了する。
【００７９】
図１２は、カードホルダ１０の端末側制御部１６により実行される内部スイッチ切り替え処理（２）の手順を示すフローチャートである。内部スイッチ切り替え処理（２）は、端末側通信部１２において、認証装置２０から送信された通信開始信号を受信した場合に実行される。即ち、内部スイッチ切り替え処理（２）は、ＩＤ情報送信処理と連動して実行される。
【００８０】
図１２に示すＳ５０１において、端末側制御部１６は、端末側通信部１２において通信開始信号を受信したか否かを判定する。Ｓ５０１の判定がＹＥＳであれば、処理はＳ５０２へ移行する。また、Ｓ５０１の判定がＮＯであれば、処理はＳ５０１へ戻る。
Ｓ５０２（Ｓ５０１：ＹＥＳ）において、端末側制御部１６は、内部スイッチ１４４に閾値電圧以上の電圧を印加して、内部スイッチ１４４を導通状態に切り替える。これにより、降圧コンバータ１４２と電源ラインＬ１との間が導通する。
【００８１】
Ｓ５０３において、端末側制御部１６は、認証装置２０との間で通信が終了したか否かを判定する。Ｓ５０３の判定がＹＥＳであれば、処理はＳ５０４へ移行する。また、Ｓ５０３の判定がＮＯであれば、処理はＳ５０３へ戻る。
Ｓ５０４（Ｓ５０３：ＹＥＳ）において、端末側制御部１６は、内部スイッチ１４４への電圧の印加を停止して、内部スイッチ１４４を非導通状態に切り替える。これにより、降圧コンバータ１４２と電源ラインＬ１との間が非導通となる。端末側制御部１６は、Ｓ５０４の処理を実行した後、本フローチャートの処理を終了する。
【００８２】
上述した第１実施形態のカードホルダ１０においては、ＩＣカード３０からのＩＤ情報の読み出しを行う場合及び認証装置２０からの通信開始信号を受信した場合、内部スイッチ１４４が導通状態に切り替えられる。これによれば、電池１４１の電池容量が低下した状態において、ＩＤ情報更新処理又はＩＤ情報送信処理が実行された場合に、コンデンサ１４３から補助的な放電が行われるため、電源部１４から出力される電圧を適切な電圧値に維持することができる。そのため、電池１４１の電池容量が低下した状態でも、ＩＤ情報更新処理及びＩＤ情報送信処理における情報の通信をより確実に行うことができる。また、内部スイッチ切り替え処理が実行されることにより、カードホルダ１０は、電池１４１の電池容量が低下した状態でも、長期間に亘って通信機能を維持することができるため、電池１４１の交換時期をより長くすることができる。
【００８３】
また、上述した第１実施形態のカードホルダ１０においては、ＩＣカード３０からのＩＤ情報の読み出しを行う場合及び認証装置２０からの通信開始信号を受信した場合以外において、内部スイッチ１４４が非導通状態に切り替えられる。これによれば、コンデンサ１４３が電源ラインＬ１と導通している間において、コンデンサ１４３から電源ラインＬ１へ流れるリーク電流を抑制することができる。そのため、カードホルダ１０は、コンデンサ１４３による補助的な放電をより長期間に亘って維持することができる。
【００８４】
［第２実施形態］
次に、第２実施形態の入室管理システム１Ｃについて説明する。第２実施形態の入室管理システム１Ｃの基本的な構成は、上述した第１実施形態（図１参照）と同じであるため、共通する構成を備えた部位には同一符号を付して、適宜に説明を省略する。
第２実施形態のカードホルダ１０Ｃは、端末側制御部１６Ｃにより実行される内部スイッチ切り替え処理が第１実施形態と相違する。
【００８５】
本実施形態の端末側制御部１６Ｃは、電源部１４に接続された電池１４１の電圧を検出する電圧検出部としての機能を備えている。端末側制御部１６Ｃは、内部スイッチ切り替え処理として、定期的に電池１４１の電圧値を検出する。そして、端末側制御部１６Ｃは、電池１４１の電圧が予め設定された電圧値（以下、「基準電圧値」ともいう）未満の場合、電源部１４の内部スイッチ１４４を導通状態とする。また、端末側制御部１６Ｃは、電池１４１の電圧が基準電圧値以上の場に、電源部１４の内部スイッチ１４４を非導通状態とする。
【００８６】
図１３は、第２実施形態のカードホルダ１０Ｃの端末側制御部１６Ｃにより実行される内部スイッチ切り替え処理の手順を示すフローチャートである。このフローチャートの処理は、所定の制御周期（例えば、１００ｍｓ）毎に実行される。
図１３に示すＳ６０１において、電圧検出部としての端末側制御部１６Ｃは、電池１４１の電圧値Ｖを検出する。
Ｓ６０２において、端末側制御部１６Ｃは、検出した電圧値Ｖが基準電圧値Ｖｔｈ未満か否かを判定する。Ｓ６０２の判定がＹＥＳであれば、処理はＳ６０３へ移行する。また、Ｓ６０２の判定がＮＯであれば、処理はＳ６０４へ移行する。
【００８７】
Ｓ６０３（Ｓ６０２：ＹＥＳ）において、端末側制御部１６Ｃは、内部スイッチ１４４に閾値電圧以上の電圧を印加して、内部スイッチ１４４を導通状態に切り替える。これにより、降圧コンバータ１４２と電源ラインＬ１との間が導通する。
Ｓ６０４（Ｓ６０２：ＮＯ）において、端末側制御部１６Ｃは、内部スイッチ１４４への電圧の印加を停止して、内部スイッチ１４４を非導通状態に切り替える。これにより、降圧コンバータ１４２と電源ラインＬ１との間が非導通となる。
端末側制御部１６Ｃは、Ｓ６０３又はＳ６０４の処理を実行した後、本フローチャートの処理を終了する。
【００８８】
上述した第２実施形態のカードホルダ１０Ｃにおいては、電池１４１の電圧が基準電圧値Ｖｔｈ未満である場合、内部スイッチ１４４が導通状態に切り替えられる。これによれば、第１実施形態で説明したＩＤ情報更新処理又はＩＤ情報送信処理が実行される場合だけでなく、カードホルダ１０Ｃにおいて電力を消費する他の動作が行われた場合においても、電源部１４から出力される電圧を適切な電圧値に維持することができる。そのため、電池１４１の電池容量が低下した状態でも、ＩＤ情報更新処理及びＩＤ情報送信処理における情報の通信だけでなく、カードホルダ１０Ｃにおいて実行される多くの動作をより確実に行うことができる。
【００８９】
また、第２実施形態のカードホルダ１０Ｃにおいても、第１実施形態と同様に、内部スイッチ１４４が導通状態に切り替えられることにより、コンデンサ１４３が電源ラインＬ１と導通している間、コンデンサ１４３から電源ラインＬ１へ流れるリーク電流を抑制することができる。そのため、第２実施形態のカードホルダ１０Ｃは、コンデンサ１４３による補助的な放電をより長期間に亘って維持することができる。
【００９０】
以上、本発明の実施形態について説明したが、本発明は、前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、実施形態に記載した効果に限定されない。なお、前述した実施形態及び後述する変形形態の構成は、適宜に組み合わせることもできるが、詳細な説明は省略する。
【００９１】
（変形形態）
上述した実施形態のカードホルダ１０において、定期的に電池１４１の電圧値を検出し、電池１４１の電圧が基準電圧値未満となった場合に、内部スイッチ切り替え処理（１）及び（２）を実行するようにしてもよい。また、カードホルダ１０において、電源部１４に内部スイッチ１４４を設けずに、降圧コンバータ１４２と電源ラインＬ１との間を常に導通させる構成としてもよい。
【００９２】
上述した実施形態のカードホルダ１０において、スイッチ１５を、筐体１００の複数箇所に設けてもよい。また、実施形態では、スイッチ１５として、プッシュスイッチを用いた例について説明した。これに限らず、スイッチ１５は、ＩＣカード３０を検知することができ、且つ筐体１００に実装可能なものであれば、どのような構造のスイッチを用いてもよい。
【００９３】
上述した実施形態のカードホルダ１０において、記憶媒体は、磁気カードであってもよい。この場合、カードホルダ１０に挿入された磁気カード（磁気ストライプ）と、カードホルダ１０に内蔵された磁気カードリーダの磁気ヘッドとを接触させることにより、磁気カードからＩＤ情報を読み取ることができる。
【００９４】
上述した実施形態のカードホルダ１０は、商業施設、公共施設、特定管理施設等において、入場者の施設内への立ち入りを管理するシステムにも適用することができる。また、オフィスにおいて、従業員にカードホルダ１０を携帯させると共に、オフィス内のＯＡ機器（例えば、複合機）の近傍に送受信部を設置することにより、従業員によるＯＡ機器の使用を管理することができる。
【符号の説明】
【００９５】
１０  カードホルダ
１１  リーダライタ
１２  端末側通信部
１４  電源部
１６  端末側制御部
１００  筐体
１４３  コンデンサ
１４４  内部スイッチ
Ｌ１  電源ライン
【図１】
2017184308.tif 000003
【図２】
2017184308.tif 000004
【図３】
2017184308.tif 000005
【図４】
2017184308.tif 000006
【図５】
2017184308.tif 000007
【図６】
2017184308.tif 000008
【図７】
2017184308.tif 000009
【図８】
2017184308.tif 000010
【図９】
2017184308.tif 000011
【図１０】
2017184308.tif 000012
【図１１】
2017184308.tif 000013
【図１２】
2017184308.tif 000014
【図１３】
2017184308.tif 000015